(57)【要約】  【課題】より多くの機能をユーザに使用させる。  【解決手段】各機能に対応付けられたカウンタを設けて、所定期間内に選択された機能に対応するカウンタにポイントを加算する。カウンタのカウント値が最小の機能（すなわち、選択された頻度が少ない機能）の中からいずれかの機能を選出し、その機能のショートカットキー７２３をショートカットキー表示部７２２に表示させる。  【効果】ショートカットキー表示部７２２に表示されたショートカットキー７２３を見たユーザが、その機能の存在に気付いて当該機能を使用することが期待できる。【選択図】        図３
2006065143.tif 000002
【特許請求の範囲】
【請求項１】
複数の機能を実行可能であり、機能設定のための表示を行うことができる表示部を備えた画像形成装置であって、
各機能に対応付けられたカウンタと、
所定期間内にある機能が選択された場合に、その機能に対応する上記カウンタのカウント値を加算する加算手段と、
上記複数の機能のうち、上記カウンタのカウント値が所定値以下の機能の中から所定の機能を選出する選出手段と、
上記選出手段により選出された機能に関する表示を上記表示部に表示させる表示手段とを含むことを特徴とする画像形成装置。
【請求項２】
上記所定期間内にある機能が選択された場合に、その機能に関連する機能に対応する上記カウンタのカウント値を減算する減算手段をさらに含むことを特徴とする請求項１記載の画像形成装置。
【請求項３】
機能の設定画面を表示させるために選択されるショートカットキーを上記表示部に表示させるためのショートカットキー表示手段をさらに含み、
上記表示手段は、上記選出手段により選出された機能のショートカットキーを、上記ショートカットキー表示手段により上記表示部に表示させるものであることを特徴とする請求項１または２に記載の画像形成装置。
【請求項４】
上記選出手段は、上記複数の機能のうち、上記カウンタのカウント値が所定値以下であり、かつ、上記ショートカットキー表示手段によりショートカットキーが上記表示部に表示されたことのない機能の中から所定の機能を選出するものであることを特徴とする請求項３記載の画像形成装置。
【請求項５】
上記ショートカットキー表示手段により上記表示部に表示させるショートカットキーを変更するためのショートカットキー変更手段をさらに含み、
上記選出手段は、上記ショートカットキー変更手段により上記表示部に表示させるショートカットキーが変更される際に、所定の機能を選出するものであることを特徴とする請求項３または４記載の画像形成装置。
【発明の詳細な説明】
【技術分野】
【０００１】
この発明は、複写機などの画像形成装置に関する。
【背景技術】
【０００２】
複写機などの画像形成装置は、通常、複数の機能（たとえば、用紙選択機能やコピー濃度設定機能など）を備えており、ユーザは、それらの複数の機能の中から１ないし複数の機能を適宜に選択して実行させることにより、所望の印刷物を得ることができる。この種の画像形成装置には、たとえば、操作表示部としてタッチパネル付きの液晶表示器が備えられており、この操作表示部に表示された各機能に対応するキーを操作することにより、各機能の内容（たとえば、用紙サイズやコピー濃度など）を設定することができるようになっている（たとえば、特許文献１参照）。
【特許文献１】特開２００２−２２１８７７号公報
【発明の開示】
【発明が解決しようとする課題】
【０００３】
しかしながら、最近の画像形成装置は多機能化しており、画像形成装置が有するすべての機能に対応付けて、それらの機能を設定するためのキーを操作表示部に一括表示させることは困難である。そこで、多機能な画像形成装置の中には、ユーザが予め選択した機能に対応する機能設定画面（機能の内容を設定するための画面）を呼び出すためのショートカットキーを、操作表示部に表示させておくことができるような機能を有するものがある。
【０００４】
しかしながら、このような多機能の画像形成装置では、ユーザが使いやすいと感じた機能のショートカットキーが操作表示部に表示されるよう設定され、そのショートカットキーに対応する機能のみが頻繁に使用されるため、ユーザが一度も使用したことのない（実行したことのない）ような機能は、全く使用されないままになる傾向がある。
このように全く使用されない機能の中には、ユーザが使用したことがないだけで、実際にはユーザにとって使いやすい機能もある。したがって、全く使用されていない機能をユーザに使用させることができれば、ユーザは、その機能の利便性に気付き、その後はその機能を使用することによって、所望の印刷物を迅速に得ることができる可能性がある。
【０００５】
この発明は、かかる背景のもとでなされたもので、より多くの機能をユーザに使用させることができる画像形成装置を提供することを目的とする。
【課題を解決するための手段】
【０００６】
上記目的を達成するための請求項１記載の発明は、複数の機能を実行可能であり、機能設定のための表示を行うことができる表示部（７２）を備えた画像形成装置であって、各機能に対応付けられたカウンタ（４６）と、所定期間内にある機能が選択された場合に、その機能に対応する上記カウンタのカウント値を加算する加算手段（４０，Ｓ１）と、上記複数の機能のうち、上記カウンタのカウント値が所定値以下の（たとえば、最小の）機能の中から所定の機能を選出する選出手段（４０，Ｔ３）と、上記選出手段により選出された機能に関する表示（７２３）を上記表示部に表示させる表示手段（４０，Ｔ５）とを含むことを特徴とする画像形成装置である。
【０００７】
なお、括弧内の英数字は、後述の実施形態における対応構成要素などを表す。以下、この項において同じ。
この構成によれば、複数の機能のうち、所定期間内に選択された頻度が少ない機能の中から所定の機能を選出して、その機能に関する表示を表示部に表示させることができる。したがって、その表示を見たユーザが、その機能の存在に気付いて当該機能を使用することが期待でき、その結果、より多くの機能をユーザに使用させることができる。
【０００８】
請求項２記載の発明は、上記所定期間内にある機能が選択された場合に、その機能に関連する機能に対応する上記カウンタ（４６）のカウント値を減算する減算手段（４０，Ｓ２）をさらに含むことを特徴とする請求項１記載の画像形成装置である。
この構成によれば、所定期間内に選択された頻度が少ない機能の中でも、その所定期間内に選択された頻度が多い機能に関連する機能を選出しやすくすることができる。したがって、選択される頻度が多い機能に関連する機能に関する表示を表示部に表示させることができるので、その表示を見たユーザが、その機能の存在に気付いて当該機能を使用することがさらに期待できる。
【０００９】
請求項３記載の発明のように、機能の設定画面を表示させるために選択されるショートカットキー（７２３）を上記表示部（７２）に表示させるためのショートカットキー表示手段（４０，７２２）をさらに含み、上記表示手段（４０，Ｔ５）は、上記選出手段（４０，Ｔ３）により選出された機能のショートカットキーを、上記ショートカットキー表示手段により上記表示部に表示させるものであってもよい。
【００１０】
この場合、請求項４記載の発明のように、上記選出手段（４０，Ｔ３）は、上記複数の機能のうち、上記カウンタ（４６）のカウント値が所定値以下（たとえば、最小）であり、かつ、上記ショートカットキー表示手段（４０，７２２）によりショートカットキー（７２３）が上記表示部（７２）に表示されたことのない機能の中から所定の機能を選出するものであれば、過去にショートカットキーが表示されたことのない機能のショートカットキーを表示部に表示させることができる。
【００１１】
また、請求項５記載の発明のように、上記ショートカットキー表示手段（４０，７２２）により上記表示部（７２）に表示させるショートカットキー（７２３）を変更するためのショートカットキー変更手段（７）をさらに含み、上記選出手段（４０，Ｔ３）は、上記ショートカットキー変更手段により上記表示部に表示させるショートカットキーが変更される際に、所定の機能を選出するものであれば、表示部に表示させるショートカットキーが変更される際に、選出手段により選出された機能のショートカットキーが表示部に表示されるので、その表示を見たユーザが、その機能の存在に気付きやすく、当該機能を使用することがさらに期待できる。
【発明を実施するための最良の形態】
【００１２】
以下には、図面を参照して、この発明の実施形態について具体的に説明する。
図１は、この発明の一実施形態に係る画像形成装置の電気的構成を説明するためのブロック図である。
図１を参照して、この実施形態に係る画像形成装置は、たとえばデジタルカラー複写機であって、使用する用紙に対して画像データに基づくカラー画像を形成することができる。この画像形成装置には、当該画像形成装置の動作を制御するための制御部４０が備えられ、制御部４０には、原稿の画像を読み取るための画像読取部５と、読み取った画像データを圧縮して蓄積しておくためのハードディスク（ＨＤＤ）８と、読み取った画像データに基づくカラー画像を用紙に形成（印刷）するための画像形成部３と、画像形成後の用紙に対して所定の後処理を行う後処理装置２と、当該画像形成装置の動作内容の設定（たとえば、機能設定など）を行うための操作パネル７とが、互いにインタフェース（Ｉ／Ｆ）４５を介して直接または間接に接続されている。制御部４０は、たとえばマイクロコンピュータを含む構成であって、ＣＰＵ４１、ＲＯＭ４２およびＲＡＭ４３の他、画像データを記憶しておくためのメモリコピー部４４を含む。
【００１３】
画像読取部５には、原稿に向けて光を照射するスキャナ２３を備えた周知の構成を採用できる。原稿の画像データは、スキャナ２３から原稿に向けて照射した光の反射光をＣＣＤイメージセンサ２４で検出して、電気信号に変換することにより得られる。画像読取部５で読み取られた原稿の画像データは、ＣＣＤイメージセンサ２４から制御部４０へ送られ、所定の画像処理が施された後、メモリコピー部４４に記憶される。
【００１４】
この実施形態では、画像読取部５には、たとえば、原稿トレイ（図示せず）にセットされた１ないし複数枚の原稿を１枚ずつ自動的にスキャナ２３に向けて供給し読み取らせる（いわゆる、流し読み）ための自動原稿供給装置（ＤＦ）６が備えられている。自動原稿供給装置６には、原稿トレイからスキャナ２３に向けて供給する原稿を表裏反転させる機構が備えられており、原稿の片面の画像だけ読み取らせて片面の画像データを得ることもできるし、原稿の両面の画像を読み取らせて両面の画像データを得ることもできるようになっている。
【００１５】
画像形成部３には、感光体、メインチャージャ、現像装置、転写装置およびレーザ走査ユニット（ＬＳＵ）１６などを備えた周知の構成を採用できる。すなわち、画像形成時には、略円筒状の感光体の表面がメインチャージャによって一様に帯電され、この感光体の表面に、レーザ走査ユニット１６から画像データに基づく光が照射されることにより、感光体の表面にいわゆる静電潜像が形成される。静電潜像が形成された感光体の表面には、現像装置により、シアン、マゼンタ、イエローおよびブラックの各単色トナーが選択的に付着され、トナー像が形成される。そして、感光体の表面に形成されたトナー像は、転写装置の働きによって用紙に転写される。画像形成部３には、用紙を表裏反転させる機構が備えられており、用紙の片面にだけ画像を形成することもできるし、用紙の両面に画像を形成することもできるようになっている。
【００１６】
使用する用紙は、画像形成装置内に配置された複数の用紙カセット、または画像形成装置の側面に配置された手差しトレイのいずれかにセットされる。この画像形成装置では、サイズ（たとえば、日本工業規格（ＪＩＳ）のＡ列４番（Ａ４）やＢ列５番（Ｂ５）など）や種類（白黒印刷用の普通紙や、カラー印刷用のカラー紙など）の異なる用紙を使用することができる。
【００１７】
操作パネル７は、たとえば、押操作可能に配置されたテンキー等のキー入力部７１の他、液晶表示部７２やＬＥＤ表示部７３などを含む。
後処理装置２は、画像形成後の用紙の所定位置に穴（パンチ穴）をあけるパンチ処理や、画像形成後の複数枚の用紙をステープルで綴じるステープル処理、画像形成後の複数枚の用紙を小冊子状にする小冊子処理、複数部の画像形成後の用紙を各部に仕分けするソート処理などの後処理を行うためのものである。
【００１８】
この画像形成装置は、複数の機能を実行できる多機能のものであり、互いに関連する機能を１つのグループとして、複数のグループ（たとえば、グループＡ〜Ｅの５つのグループ）にそれぞれ属する複数の機能の中から、１ないし複数の機能を選択して実行できる。制御部４０には、各機能に対応付けられたカウンタ４６が備えられている。以下、各グループＡ〜Ｅに属する機能について説明する。
（グループＡ）
・用紙選択機能：用紙カセットを変更して用紙のサイズや種類の選択ができる。
【００１９】
・ソート／仕上げ機能：印刷物のソート処理、ステープル処理、パンチ処理の設定ができる。
・原稿サイズ選択機能：原稿サイズを手動で設定できる。
・原稿サイズ混載機能：異なる原稿サイズをまとめてコピーできる。
・連続読み込み機能：原稿を複数回に分けて読み込みを行い、一括してコピーすることができる。
【００２０】
・自動回転機能：セットした原稿の向きと用紙カセットの中の用紙の向きが異なる場合でも、画像を反時計回りに９０度回転してコピーする。
・再コピー機能：再コピーを設定しておくとコピー終了後に追加出力ができる。
・ＯＨＰ合紙機能：自動的に用紙がフィルムの間にはさみ込まれ、取り扱いが容易となる。また、その用紙に同じ原稿のコピーをすることもでき、多数枚コピーすることもできる。
【００２１】
・排出先選択機能：仕上がったコピーの排出先を後処理装置に指定することができる。
・試しコピー機能：大量の部数をコピーする前に１部だけ試しコピーし、出力結果を確認してから設定した部数を出力することができる。
（グループＢ）
・コピー濃度機能：コピーの濃度を調整できる。
【００２２】
・原稿画質機能：原稿の種類に合わせて、画質を選択することができる。
・エコプリント機能：トナーの消費量が節約できる。
・原稿セット向き機能：原稿の向きを指定し、印刷の向きをそろえる。
（グループＣ）
・両面／分割機能：「片面→両面」や「両面→片面」などの処理ができる。
【００２３】
・集約機能：原稿２ページを用紙１ページに割り付ける。または、原稿４ページを用紙１ページに割り付ける。
（グループＤ）
・縮小／拡大機能：原稿の拡大、縮小の設定ができる。
・とじしろ／センター移動機能：綴じ代をつけたコピーや、原稿を用紙の中心に合わせるような移動ができる。
【００２４】
・枠消し機能：原稿の周辺を白くする。
・ページ付け機能：各原稿にページを印刷する。
・表紙付け機能：表紙にカラー紙や、厚紙を使ってコピーすることができる。
・拡大連写機能：拡大後のコピーサイズが使用できる用紙サイズの最大よりも大きくなる場合、拡大後の画像を複数枚に分けてコピーすることができる。
【００２５】
・小冊子機能：両面または片面原稿を見開き両面コピーにして、仕上がったコピーを重ねて折れば週刊誌やパンフレットのようにすることができる。
・白黒反転機能：原稿の色相や濃淡を反転してコピーする。
・書き込み余白機能：コピーした用紙にコメントが書き込めるスペースを作る。
・鏡像機能：原稿を鏡に映したようにコピーする。
【００２６】
・配布コピー機能：カラーコピーを白黒コピーで代用する。
（グループＥ）
・シャープネス機能：画像の輪郭の強弱を調整する。
・光沢プリント機能：光沢を増してコピーする。
・カラーバランス機能：シアン、マゼンタ、イエロー、ブラックの各色の強弱を調整することにより、色調を微妙に調整する。
【００２７】
・色相調整機能：色調（色合い）を調整する。赤を黄色の強い赤にしたり、黄色を黄緑色に近い色にしたりすることによって、イメージの変わったコピーができる。
・ワンタッチ画質調整機能：「あざやかに」や「シックに」など、イメージにあわせて画質を選択する。
・単色カラー機能：シアン、マゼンタ、イエロー、レッド、グリーン、ブルーから１色を指定して、原稿の種類に関係なくその色でコピーする。
【００２８】
図２は、操作パネル７の構成を示す平面図である。
図２を参照して、液晶表示部７２は、たとえば、操作パネル７のほぼ中央部に配置されている。液晶表示部７２は、たとえばタッチパネル付きの液晶表示器により構成され、その表示画面上に表示されたキーに触れることで、この画像形成装置の機能設定などを行うことができるようになっている。
【００２９】
キー入力部７１は、たとえば、液晶表示部７２の側方に配置されていて、印刷部数を設定する際に操作されるテンキー７１２や、画像形成動作をスタートさせる際に操作されるスタートキー７１１などを含む。
キー入力部７１や液晶表示部７２における操作が行われると、その操作に応じた入力信号が制御部４０に与えられる。また、制御部４０からの出力信号に基づいて、液晶表示部７２の表示態様や、液晶表示部７２の側方に配置されたＬＥＤ表示部７３の発光態様が制御されることにより、運転状況や機能の設定状況などが表示される。
【００３０】
図３は、液晶表示部７２に表示される基本画面の具体例を示す図である。
図３を参照して、この画像形成装置の待機状態における液晶表示部７２の表示画面（基本画面）には、「基本」、「ユーザー機能」、「機能リスト」、「プログラム」といった複数の画面切替キー７２１が表示されており、「基本」の画面切替キー７２１が選択された状態となっている。この基本画面では、たとえば、使用する用紙のサイズおよび種類、原稿の画像に対する画像形成時の倍率（拡大率／縮小率）、画像形成時のトナー濃度、ソート処理を行うか否かなどを設定することができるようになっている。
【００３１】
基本画面の一部には、ショートカットキー表示部７２２が配置されている。ショートカットキー表示部７２２には、１ないし複数のショートカットキー７２３が表示され、いずれかのショートカットキー７２３を選択することにより、その機能の設定画面を表示させることができるようになっている。このショートカットキー表示部７２２に表示させるショートカットキー７２３は、予めデフォルト設定されているが、ユーザの設定操作により変更（追加を含む。）することができる（ショートカットキー変更処理）。
【００３２】
図４は、ユーザが操作パネル７を操作してある機能を選択した場合の制御部４０による制御の流れを示すフローチャートである。
図４を参照して、ユーザが、所定期間内（たとえば、１週間や１ヶ月などの予め定められた期間であってもよいし、ユーザが任意に設定した期間であってもよい。）に操作パネル７を操作して、ある機能を選択した場合、制御部４０は、その選択された機能に対応するカウンタ４６にポイントＰＢを加算する（ステップＳ１）。
【００３３】
その後、制御部４０は、選択された機能と同じグループＡ〜Ｅに属する機能（すなわち、選択された機能に関連する機能）に対応するカウンタ４６からポイントＰＣを減算する（ステップＳ２）。
図５は、ショートカットキー変更処理時における制御部４０による制御の流れを示すフローチャートである。
【００３４】
図５を参照して、ユーザが、操作パネル７を操作して、ショートッカットキー表示部７２２に表示させるショートカットキー７２３を変更すると、制御部４０は、そのときショートカットキー表示部７２２に表示されているショートカットキー７２３の機能に対応するカウンタ４６にポイントＰＡを加算した後（ステップＴ１）、そのときショートカットキー表示部７２２に表示されているショートカットキー７２３を消去する（ステップＴ２）。
【００３５】
その後、制御部４０は、各機能に対応付けられたカウンタ４６のカウント値を読み出して、カウント値が最小の機能の中からいずれかの機能を（任意に）選出する（ステップＴ３）。そして、制御部４０は、その選出した機能が、過去にショートカットキー表示部７２２にショートカットキー７２３が表示されたことのある機能であるか否かを判定する（ステップＴ４）。
【００３６】
選出した機能が、過去にショートカットキー表示部７２２にショートカットキー７２３が表示されたことのない機能である場合には（ステップＴ４でＮＯ）、制御部４０は、ユーザの設定操作により選択された機能のショートカットキー７２３に加えて、その選出した機能のショートカットキー７２３をショートカットキー表示部７２２に表示させる（ステップＴ５）。
【００３７】
一方、選出した機能が、過去にショートカットキー表示部７２２にショートカットキー７２３が表示されたことのある機能である場合には（ステップＴ４でＹＥＳ）、制御部４０は、再び、カウンタ４６のカウント値が最小の機能の中からいずれかの（まだ選出されていない）機能を選出する（ステップＴ３）。このようにして、過去にショートカットキー表示部７２２にショートカットキー７２３が表示されたことのない機能が選出されるまで（ステップＴ４でＮＯとなるまで）、制御部４０は、ステップＴ３，Ｔ４の制御を繰り返し、過去にショートカットキー表示部７２２にショートカットキー７２３が表示されたことのない機能が選出された時点で（ステップＴ４でＮＯとなった時点で）、ユーザの設定操作により選択された機能のショートカットキー７２３に加えて、その選出した機能のショートカットキー７２３をショートカットキー表示部７２２に表示させる（ステップＴ５）。
【００３８】
ポイントＰＡ、ポイントＰＢおよびポイントＰＣは、それぞれ同じ値であってもよいし、ポイントＰＡ＞ポイントＰＣ＞ポイントＰＢの関係が成り立つような値に設定されていてもよい。
この実施形態では、図４のステップＳ１において、所定期間内に選択された機能に対応するカウンタ４６にポイントＰＢを加算し、図５のステップＴ３において、カウンタ４６のカウント値が最小の機能の中からいずれかの機能を選出するような構成となっているので、複数の機能のうち、所定期間内に選択された頻度が少ない機能の中から所定の機能を選出して、その機能のショートカットキー７２３をショートカットキー表示部７２２に表示させることができる。したがって、そのショートカットキー７２３を見たユーザが、その機能の存在に気付いて当該機能を使用することが期待でき、その結果、より多くの機能をユーザに使用させることができる。
【００３９】
また、この実施形態では、図４のステップＳ２において、選択された機能と同じグループＡ〜Ｅに属する機能に対応するカウンタ４６からポイントＰＣを減算するような構成となっているので、所定期間内に選択された頻度が少ない機能の中でも、その所定期間内に選択された頻度が多い機能に関連する機能を選出しやすくすることができる。したがって、選択される頻度が多い機能に関連する機能のショートカットキー７２３をショートカットキー表示部７２２に表示させることができるので、そのショートカットキー７２３を見たユーザが、その機能の存在に気付いて当該機能を使用することがさらに期待できる。
【００４０】
さらに、この実施形態では、選出された機能（所定期間内に選択された頻度が少ない機能）のショートカットキー７２３がショートカットキー変更処理時にショートカットキー表示部７２２に表示されるので、その表示を見たユーザが、その機能の存在に気付きやすく、当該機能を使用することがさらに期待できる。
この発明は、以上の実施形態の内容に限定されるものではなく、請求項記載の範囲内において種々の変更が可能である。
【００４１】
たとえば、各ユーザに対応付けられたカウンタ４６を設けて、ユーザごとに、所定期間内に選択された頻度が少ない機能を選出し、その機能のショートカットキー７２３をショートカットキー表示部７２２に表示させることも可能である。
選出された機能（所定期間内に選択された頻度が少ない機能）のショートカットキー７２３がショートカットキー表示部７２２に表示されるような構成に限らず、選出された機能に関する他の表示（たとえば、機能名の表示や、その機能の内容など）が行われるようになっていてもよい。
【００４２】
また、カウンタ４６のカウント値が最小の機能の中からショートカットキー７２３を表示させる機能を選出するような構成に限らず、カウンタ４６のカウント値が所定値以下の機能の中から機能を選出するような構成であってもよい。
表示部は、タッチパネル付きの液晶表示器により構成された液晶表示部７２のように操作部と一体的に構成されたものに限らず、操作部と表示部とが別個に構成されていてもよい。
【００４３】
この発明は、多機能の画像形成装置であれば、デジタルカラー複写機に限らず、デジタルモノクロ複写機やアナログ複写機にも適用可能であるし、プリンタやファクシミリなどの複写機以外の画像形成装置にも適用可能である。
【図面の簡単な説明】
【００４４】
【図１】この発明の一実施形態に係る画像形成装置の電気的構成を説明するためのブロック図である。
【図２】操作パネルの構成を示す平面図である。
【図３】液晶表示部に表示される基本画面の具体例を示す図である。
【図４】ユーザが操作パネルを操作してある機能を選択した場合の制御部による制御の流れを示すフローチャートである。
【図５】ショートカットキー変更処理時における制御部による制御の流れを示すフローチャートである。
【符号の説明】
【００４５】
７  操作パネル
４０  制御部
４６  カウンタ
７２  液晶表示部
７２２  ショートカットキー表示部
７２３  ショートカットキー
【図１】
2006065143.tif 000003
【図２】
2006065143.tif 000004
【図３】
2006065143.tif 000005
【図４】
2006065143.tif 000006
【図５】
2006065143.tif 000007